(57)【要約】【課題】前壁面が前方へ張り出した軒樋の接続に使用される伸縮継手を、排水断面積を狭くすることなく、高周波溶着具を用いて簡易に加工し組み立て可能とする。【解決手段】一側に軒樋の接続部が設けられ且つ他側が断面略U字形に屈曲していて屈曲部に沿って帯体接続部が設けられた一対の合成樹脂製の内継手を、互いに帯体接続部同士を向かいあわせ且つ適宜な間隔を開けて支持具上面に設置し、可撓性を有する蛇腹状の合成樹脂製の伸縮帯体を略U字形に屈曲させるとともに両端を前記内継手の帯体接続部上面にそれぞれ接合させて両内継手端部間に架け渡し、次いで両内継手と伸縮帯体の接合部上面に略U字形に屈曲した加熱体を重ね合わせて当該接合部分を溶着一体化させ、その後、一体に接続された両内継手及び伸縮帯体を外継手内部に装置し、外継手の両側内周に内継手をそれぞれ摺動自在に取り付ける。【選択図】  図１
2005061164.tif 000002
【特許請求の範囲】
【請求項１】
雨水を受ける開口の前縁から前壁面が前方へ張り出し、開口よりも樋内部が幅広に形成された軒樋を接続する軒樋伸縮継手であって、
前記軒樋端部に沿った断面形状を有する外継手の両側内周面に、
前記軒樋前壁面の前方張り出し部を閉鎖する仕切壁面により開口断面が略Ｕ字形に設けられているとともに、その一側に前記軒樋端部の接続部が設けられ、その他側に前記開口断面に沿って屈曲した帯体接続部が設けられてなる内継手がそれぞれ摺動自在に取り付けられ、
両内継手の前記帯体接続部間に、略U字形に屈曲させた蛇腹状の伸縮帯体が取り付けられた構成を有する軒樋伸縮継手。
【請求項２】
軒樋伸縮継手の製造方法において、
一側に軒樋の接続部が設けられ且つ他側が断面略U字形に屈曲していて当該屈曲部に沿って帯体接続部が設けられた一対の合成樹脂製の内継手を、互いに帯体接続部同士を向かいあわせ且つ適宜な間隔を開けて支持具上面に設置し、
可撓性を有する蛇腹状の合成樹脂製の伸縮帯体を略U字形に屈曲させるとともに、その両端を前記内継手の帯体接続部上面にそれぞれ接合させて両内継手端部間に架け渡し、
次いで両内継手と伸縮帯体の接合部上面に略U字形に屈曲した加熱体を重ね合わせて当該接合部分を溶着一体化させ、
その後、一体に接続された両内継手及び伸縮帯体を、軒樋端部に沿った断面形状を有する外継手内部に装置し、外継手の両側内周に内継手をそれぞれ摺動自在に取り付けることを特徴とする軒樋伸縮継手の製造方法。
【発明の詳細な説明】
【技術分野】
【０００１】
本発明は、寒暖による軒樋の熱伸縮を吸収するために軒樋同士の接続部に設置される伸縮継手に関する。
【背景技術】
【０００２】
近時、住宅の軒が屋根と軒先が一体となった綺麗な外観が醸し出されるように、図９に示される如く、軒を見上げたときに目に付く前壁面５１を、前壁面５１と後壁面５２の上端間の開口５３よりも前方へ張り出し且つ屈曲させて底面５４に連ねた形状の軒樋５が使用されている。
このような、前壁面５１が前方へ張り出した軒樋５の伸縮継手として、軒樋５の側端部に沿った断面形状に外継手と内継手とを形成し、外継手の両側に摺動自在に取り付けられた内継手の間に、図１０に示されるように、同じく軒樋５の側端部に沿った輪郭に屈曲させた蛇腹状の伸縮帯体６を設置した構成のものが知られている（例えば特許文献１参照）。
【０００３】
【特許文献１】特開平１０−９６３０９号公報
【発明の開示】
【発明が解決しようとする課題】
【０００４】
一般に、硬質PVCかならなる内継手と軟質PVCからなる伸縮帯体の接続は高周波溶着具を用いて行うことができる。しかし、前述の通り、軒樋５は開口５３が狭く、樋内部の前壁面５１と後壁面５２との間隔が広く形成されており、伸縮帯体６も樋内周に沿って湾曲させる必要があるため、高周波溶着具を用いて接続加工することはできなかった。
仮に図１１に示されるような、加熱体７ａを軒樋５の断面輪郭に沿った形状に設けた高周波溶着具７を準備したとしても、内継手の前壁面に沿って折り返した伸縮帯体６の上折れ部６１が加熱体７ａの端部と干渉し合うため、この冶具を用いて内継手と伸縮帯体６の接合部を一括して溶着することはできない。この場合、上折れ部６１を切除したのでは、継手内部の排水断面積が狭くなってしまう。そのため、内継手と伸縮帯体６の接続は、両部材の接合部分に沿って溶着具を手作業で当てながら行わなければならず、伸縮継手の加工に手間を要していた。
【０００５】
本発明は従来技術の有するこのような問題点に鑑み、前壁面が前方へ張り出した軒樋の接続に使用される伸縮継手を、排水断面積を狭くすることなく、溶着具を用いて簡易に加工し組み立てることができるようにすることを課題とする。
【課題を解決するための手段】
【０００６】
前記課題を解決するため、本発明の軒樋伸縮継手は、雨水を受ける開口の前縁から前壁面が前方へ張り出し、開口よりも樋内部が幅広に形成された軒樋を接続する継手であって、前記軒樋端部に沿った断面形状を有する外継手の両側内周面に、前記軒樋前壁面の前方張り出し部を閉鎖する仕切壁面により開口断面が略Ｕ字形に設けられているとともに、その一側に前記軒樋端部の接続部が設けられ、その他側に前記開口断面に沿って屈曲した帯体接続部が設けられてなる内継手がそれぞれ摺動自在に取り付けられ、両内継手の前記帯体接続部間に、略U字形に屈曲させた蛇腹状の伸縮帯体が取り付けられた構成を有するものである。
前記構成の軒樋伸縮継手は、一側に軒樋の接続部が設けられ且つ他側が断面略U字形に屈曲していて当該屈曲部に沿って帯体接続部が設けられた一対の合成樹脂製の内継手を、互いに帯体接続部同士を向かいあわせ且つ適宜な間隔を開けて支持具上面に設置する工程、可撓性を有する蛇腹状の合成樹脂製の伸縮帯体を略U字形に屈曲させるとともに、その両端を前記内継手の帯体接続部上面にそれぞれ接合させて両内継手端部間に架け渡す工程、両内継手と伸縮帯体の接合部上面に略U字形に屈曲した加熱体を重ね合わせて当該接合部分を溶着一体化させる工程、及び一体に接続された両内継手及び伸縮帯体を、軒樋端部に沿った断面形状を有する外継手内部に装置し、外継手の両側内周に内継手をそれぞれ摺動自在に取り付ける工程を通して製造することができる。
【０００７】
本発明の軒樋伸縮継手は、外継手内に配される内継手の端部が略U字形に屈曲しており、この端部に伸縮帯体が接続するように構成されている。図１に示されるように、支持具（８）に載せて支持させた内継手（３）の屈曲端部に伸縮帯体（４）の端部を接合し、この接合部に外周面が前記屈曲端部と同じ輪郭に屈曲させてなる加熱体（７ａ）を上方から圧接することで、伸縮帯体（４）と内継手（３）の接合端部同士を溶着一体化することができ、高周波溶着具を用いて伸縮継手を簡易に加工し組み立てることができる。内継手に接合する伸縮帯体の上端部を長く設定することで、継手内に広い排水断面積を確保可能である。
【発明を実施するための最良の形態】
【０００８】
本発明の好適な実施形態を図面を参照して説明する。
図２は本発明の軒樋伸縮継手の一実施形態の前面及び背面側の斜視図、図３はその側面図、図４は図３のＩV−ＩV線に沿った切断端面図、図５は内継手の伸縮帯体が接続される側の側面図と平面図、図６は伸縮帯体の拡大切断端面図、図７は軒樋伸縮継手を製造する工程を示した図、図８は軒樋伸縮継手の他の実施形態の斜視図である。
【０００９】
本発明の軒樋伸縮継手１は、外継手２、一端部に軒樋の側端部を接続して外継手２の両側内周面で摺動自在に支持される内継手３、３及び外継手２の内側で両内継手３、３の対向他端部間に取り付けられる伸縮帯体４により構成されている。
図１〜図６に示された軒樋伸縮継手１は、前記図９に示された、前壁面５１を開口５３の前縁から前方へ張り出し且つ屈曲部５５で屈曲させて底面５４に連ねた形状の軒樋５の接続に用いられるものであり、外継手２と内継手３、３はそれぞれ硬質ＰＶＣなどの合成樹脂により、軒樋５の断面輪郭に沿った形状に成形されている。
【００１０】
詳しくは、外継手２は、前方屈曲部２５を有する前壁面２１、後壁面２２及び底面２４により、軒樋５の外周面に重合する筒状に形成されており、外継手２の開口２３よりも、継手内部の前壁面２１と後壁面２２との間隔を幅広に設定してある。外継手２の前壁面２１と後壁面２２の上縁には、内継手３、３を係止する切欠部２ａ、２ａ、２ｂ、２ｂを左右の対向位置に設けてある。
【００１１】
内継手３、３は、図４及び図５に示されるように、その外周壁面が、前方屈曲部３５を有する前壁面３１、後壁面３２及び底面３４により、上面を開口３３としていて且つ外継手２の内周面に密接する形状に形成され、また、外周面の一側の端部には、前壁面３１の前方張り出し部分を閉鎖する仕切壁面３６を設けて当該端部開口面を略U字形に画してある。
仕切壁面３６の内面には、前壁面３１、後壁面３２及び底面３４に沿って突片を連ねてなる、軒樋５の側端部が嵌入する凹溝３ａが設けてあり、また、仕切壁面３６の外面には、伸縮帯体４の端部が凹凸係合する帯体接続部３ｂを当該仕切壁面３６の周縁に沿って略U字形に屈曲させて設けてある。また、仕切壁面３６が形成された側の前壁面３１と後壁面３２の端部上縁には、前記外継手２の切欠部２ａ、２ｂと係合する突起３ｃ、３ｄを設けてある。両内継手３、３は対称な形状となっている。
【００１２】
伸縮帯体４は、図６に示されるように、軟質ＰＶＣなどの可撓性を有する素材により蛇腹状に成形されており、蛇腹部分の両端には、内継手３の帯体接続部３ｂに接合する係合部４ａ、４ａが設けてある。伸縮帯体４は、蛇腹部分の折れ筋に沿ってＣ字形に湾曲して成形され、その両端を内継手３、３の端部に接合一体化させることにより、全体が外継手２の前壁面２１の上端から後壁面２３の上端に渡って略Ｕ字形に屈曲した形状に保持され、折れ筋と交差する方向へ伸縮し得るようになっている。
【００１３】
これらの部材からなる軒樋伸縮継手１は、以下の加工工程によって形成することができる。加工に際し、予め内継手３、３の下面を支持する支持具８、８と、内継手３の仕切壁面３６の上面に接合し得るように加熱体７ａ、７ａを略Ｕ字形に屈曲させてなる高周波溶着具７を準備しておく。支持具８，８は、図７（Ａ）に示されるように適宜な間隔を開けて配置しておく。
先ず、同図（Ｂ）に示されるように、支持具８、８の上面に内継手３、３を設置する。この際、両継手は、帯体接続部３ｂ、３ｂ同士が向かい合わせとなるように配置する。次いで、伸縮帯体４を略U字形に屈曲させながら、両端の係合部４ａ、４ａを前記帯体接続部３ｂ、３ｂに係合させて、両内継手３、３間に架け渡す。
次に、同図（Ｃ）に示されるように、支持具８、８上にセットされた内継手３、３と伸縮帯体４の接合部上面に、高周波溶着具７の加熱体７ａ、７ａを押し付けて伸縮帯体４の両端部を帯体接続部３ｂ、３ｂに溶着一体化させる。両端が内継手３、３の端部に固着された伸縮帯体４はその蛇腹部分全体が略Ｕ字形に屈曲する。
そして、一体に接続した両内継手３、３及び伸縮帯体４を外継手２の内部に装置し、外継手２の両側内周に内継手３、３を差し入れてそれぞれ摺動自在に取り付ける。
【００１４】
このような手順で形成された軒樋伸縮継手１は、軒樋５、５の間に設置され、両軒樋５、５の側端部を外継手２の両側に突き出た内継手３、３の凹溝３ａ、３ａに嵌め入れ、内継手３の内周面に軒樋５の外周面を接合させて軒樋５と一体で軒に支持される。夏季に高温又は冬季に低温となったときに軒樋５は軸方向に沿って伸縮するが、軒樋５の側端部は内継手３に連結しており、この内継手３が伸縮帯体４の伸縮を通じて軒樋５の軸方向へ変位することにより、軒樋５の熱伸縮を吸収し、軒樋５が蛇行したり外れたりすることを防止することができる。
【００１５】
図８は本発明の他の実施形態の軒樋伸縮継手１を示しており、これは断面Ｕ字形の開放型の軒樋同士の接続に用いられ、外継手２、内継手３、３の側端部を断面Ｕ字形の輪郭に沿った形状に形成したものである。この軒樋伸縮継手１においても、前記と同じ工程を通して製造可能である。
【図面の簡単な説明】
【００１６】
【図１】本発明の軒樋伸縮継手の内継手と伸縮帯体を接続する様子を示した図である。
【図２】本発明の軒樋伸縮継手の一実施形態の前面及び背面側の斜視図である。
【図３】図２の伸縮継手の側面図である。
【図４】図３のＩV−ＩV線に沿った切断端面図である。
【図５】内継手の伸縮帯体が接続される側の側面図と平面図である。
【図６】伸縮帯体の拡大切断端面図である。
【図７】軒樋伸縮継手を製造する工程を示した図である。
【図８】本発明の軒樋伸縮継手の他の実施形態の斜視図である。
【図９】従来の一実施例の軒樋の側面図である。
【図１０】図９の軒樋の接続に用いる軒樋伸縮継手に内蔵される伸縮帯体の外観図である。
【図１１】図９の軒樋の接続に用いる軒樋伸縮継手の内継手と伸縮帯体を高周波溶着具で接続する様子を示した図である。
【符号の説明】
【００１７】
１  軒樋伸縮継手、２  外継手、３、３  内継手、４  伸縮帯体、５  軒樋
６  伸縮帯体、７  高周波溶着具、８  支持具
【図１】
2005061164.tif 000003
【図２】
2005061164.tif 000004
【図３】
2005061164.tif 000005
【図４】
2005061164.tif 000006
【図５】
2005061164.tif 000007
【図６】
2005061164.tif 000008
【図７】
2005061164.tif 000009
【図８】
2005061164.tif 000010
【図９】
2005061164.tif 000011
【図１０】
2005061164.tif 000012
【図１１】
2005061164.tif 000013
【手続補正書】
【提出日】平成15年12月12日(2003.12.12)
【手続補正１】
【補正対象書類名】特許請求の範囲
【補正対象項目名】請求項１
【補正方法】変更
【補正の内容】
【請求項１】
軒樋を接続する軒樋伸縮継手であって、
前記軒樋端部に沿った断面形状を有する外継手の両側内周面に、
前記軒樋前壁面の前方張り出し部を閉鎖する仕切壁面により開口断面が略Ｕ字形に設けられているとともに、その一側に前記軒樋端部の接続部が設けられ、その他側に前記開口断面に沿って屈曲した帯体接続部が設けられてなる内継手がそれぞれ摺動自在に取り付けられ、
両内継手の前記帯体接続部間に、略U字形に屈曲させた蛇腹状の伸縮帯体が取り付けられた構成を有する軒樋伸縮継手。
【手続補正２】
【補正対象書類名】明細書
【補正対象項目名】０００５
【補正方法】変更
【補正の内容】
【０００５】
本発明は従来技術の有するこのような問題点に鑑み、軒樋の接続に使用される伸縮継手を、排水断面積を狭くすることなく、溶着具を用いて簡易に加工し組み立てることができるようにすることを課題とする。
【手続補正３】
【補正対象書類名】明細書
【補正対象項目名】０００６
【補正方法】変更
【補正の内容】
【０００６】
前記課題を解決するため、本発明の軒樋伸縮継手は、軒樋を接続する継手であって、前記軒樋端部に沿った断面形状を有する外継手の両側内周面に、前記軒樋前壁面の前方張り出し部を閉鎖する仕切壁面により開口断面が略Ｕ字形に設けられているとともに、その一側に前記軒樋端部の接続部が設けられ、その他側に前記開口断面に沿って屈曲した帯体接続部が設けられてなる内継手がそれぞれ摺動自在に取り付けられ、両内継手の前記帯体接続部間に、略U字形に屈曲させた蛇腹状の伸縮帯体が取り付けられた構成を有するものである。
前記構成の軒樋伸縮継手は、一側に軒樋の接続部が設けられ且つ他側が断面略U字形に屈曲していて当該屈曲部に沿って帯体接続部が設けられた一対の合成樹脂製の内継手を、互いに帯体接続部同士を向かいあわせ且つ適宜な間隔を開けて支持具上面に設置する工程、可撓性を有する蛇腹状の合成樹脂製の伸縮帯体を略U字形に屈曲させるとともに、その両端を前記内継手の帯体接続部上面にそれぞれ接合させて両内継手端部間に架け渡す工程、両内継手と伸縮帯体の接合部上面に略U字形に屈曲した加熱体を重ね合わせて当該接合部分を溶着一体化させる工程、及び一体に接続された両内継手及び伸縮帯体を、軒樋端部に沿った断面形状を有する外継手内部に装置し、外継手の両側内周に内継手をそれぞれ摺動自在に取り付ける工程を通して製造することができる。